(57)【要約】【課題】回転ドラム内で洗濯、すすぎ、脱水、乾燥などの各行程を逐次制御するドラム式洗濯機において、乾燥行程の途中でも蓋体を開閉できるようにし、安全に衣類の出し入れができるようにする。【解決手段】略水平方向または斜め方向に回転中心軸を有する回転ドラム４を水槽３内に内包し、回転ドラム４内へ衣類を出し入れする水槽３の開口部を蓋体８により開閉し、ヒータ１２により加熱された風を送風経路１５を通して、送風ファン１４により回転ドラム４内に送風する。送風経路１５は、ヒータ１２を介して回転ドラム４内に温風を送り込む第１の送風経路１６と、ヒータ１２を介さずに回転ドラム４内に風を送り込む第２の送風経路１７とで構成し、第２の送風経路１７を通して回転ドラム４内に送り込まれる風が蓋体８に当たるよう構成する。【選択図】　図１
2004097387.tif 000002
【特許請求の範囲】
【請求項１】
略水平方向または斜め方向に回転中心軸を有する回転ドラムと、前記回転ドラムを内包しかつ回転ドラム内へ衣類を出し入れする開口部を有する水槽と、前記水槽の開口部を開閉する蓋体と、前記回転ドラム内に風を送り込む送風手段と、前記送風手段により送風される風を加熱する加熱手段と、前記送風手段により送風される風を回転ドラム内に導く送風経路とを備え、前記送風経路は、加熱手段を介して回転ドラム内に温風を送り込む第１の送風経路と、加熱手段を介さずに回転ドラム内に風を送り込む第２の送風経路とで構成し、前記第２の送風経路を通して回転ドラム内に送り込まれる風が蓋体に当たるよう構成したドラム式洗濯機。
【請求項２】
加熱手段を介さずに回転ドラム内に風を送り込む第２の送風経路は、吸い込み側を大気に開放した請求項１記載のドラム式洗濯機。
【請求項３】
加熱手段を介さずに回転ドラム内に風を送り込む第２の送風経路は、内部または送風の吐出部の近傍に冷媒噴霧手段を設けた請求項１記載のドラム式洗濯機。
【請求項４】
略水平方向または斜め方向に回転中心軸を有する回転ドラムと、前記回転ドラムを内包しかつ回転ドラム内へ衣類の出し入れする開口部を有する水槽と、前記水槽の開口部を開閉する蓋体と、前記回転ドラム内に風を送り込む送風手段と、前記送風手段により送風される風を加熱する加熱手段と、前記送風手段により送風される温風を回転ドラム内に導く送風経路とを備え、前記送風経路の温風の吐出部を、回転ドラム内に送り込まれた温風が蓋体に当たらないよう構成したドラム式洗濯機。
【請求項５】
送風経路の温風の吐出部の下流側の形状を、回転ドラムの内部側に偏向させ、回転ドラム内に送り込まれた温風が蓋体に当たらないよう構成した請求項４記載のドラム式洗濯機。
【請求項６】
送風経路の温風の吐出部の下流側にルーバーを設け、回転ドラム内に送り込まれた温風が蓋体に当たらないよう構成した請求項４記載のドラム式洗濯機。
【発明の詳細な説明】
【０００１】
【発明の属する技術分野】
本発明は、回転ドラム内で洗濯、すすぎ、脱水、乾燥などの各行程を逐次制御するドラム式洗濯機に関するものである。
【０００２】
【従来の技術】
従来、この種のドラム式洗濯乾燥機は図４に示すように構成していた。以下、その構成について説明する。
【０００３】
図４に示すように、洗濯機本体１は、内部に複数のサスペンション（図示せず）とダンパー２で水槽３を支持し、水槽３内に回転ドラム４を回転自在に配設し、この回転ドラム４をモータ５により駆動する。回転ドラム４に多数の通水孔６とバッフル７を設けている。蓋体８は、水槽３に設けた回転ドラム４内へ衣類を出し入れする開口部を開閉するものである。水槽１に設けた排水口（図示せず）と排水ポンプ９とを排水経路１０により連通し、排水するよう構成している。
【０００４】
送風ファン１１は、ヒータ１２により加熱された風を送風経路１３を通して回転ドラム４内に送風するものである。
【０００５】
上記構成において動作を説明する。回転ドラム４内に洗濯物を投入し、洗濯行程を開始すると、給水弁（図示せず）が開き、水槽３内に所定の水位まで給水する。つぎに、モータ５を駆動することで、それに連結した回転ドラム４を所定の回転数で回転し、投入された衣類はバッフル７によって持ち上げられては落下を繰り返し、洗剤水と水面に落下したときの機械力によって洗浄される。洗濯が終わると排水ポンプ９を駆動し、洗濯水を排水経路１０を通じて排水する。
【０００６】
ついで、すすぎ行程と脱水行程とを行い、乾燥行程に入ると、ヒータ１２によって加熱された温風が送風ファン１１１により送風経路１３を通って回転ドラム４内に送り込まれるとともに、モータ５が回転し、それに連結された回転ドラム４が所定の回転数で回転する。
【０００７】
回転ドラム４内では衣類は、洗浄行程と同様に、バッフル７によって持ち上げられては落下を繰り返す。ここで、回転ドラム４内に送り込まれた温風は、その一部が蓋体８に当たってその方向を換え、回転ドラム４内の衣類を乾燥させる。
【０００８】
【発明が解決しようとする課題】
しかしながら、このような従来の構成では、乾燥行程の途中で、衣類の出し入れのために蓋体８を開閉する際に、蓋体８が乾燥用の温風で加熱されているため、乾燥行程の途中での衣類の出し入れを行うのが困難であるという問題を有していた。
【０００９】
本発明は上記課題を解決するもので、乾燥行程の途中でも蓋体を開閉できるようにし、安全に衣類の出し入れができるようにすることを目的としている。
【００１０】
【課題を解決するための手段】
本発明は上記目的を達成するために、略水平方向または斜め方向に回転中心軸を有する回転ドラムを水槽内に内包し、回転ドラム内へ衣類を出し入れする水槽の開口部を蓋体により開閉し、加熱手段により加熱された風を送風経路を通して、送風手段により回転ドラム内に送風するよう構成し、送風経路は、加熱手段を介して回転ドラム内に温風を送り込む第１の送風経路と、加熱手段を介さずに回転ドラム内に風を送り込む第２の送風経路とで構成し、第２の送風経路を通して回転ドラム内に送り込まれる風が蓋体に当たるよう構成したものである。
【００１１】
これにより、蓋体が加熱手段により加熱されない風で冷却され、乾燥行程の途中でも蓋体を開閉することができ、安全に衣類の出し入れすることができる。
【００１２】
【発明の実施の形態】
本発明の請求項１に記載の発明は、略水平方向または斜め方向に回転中心軸を有する回転ドラムと、前記回転ドラムを内包しかつ回転ドラム内へ衣類を出し入れする開口部を有する水槽と、前記水槽の開口部を開閉する蓋体と、前記回転ドラム内に風を送り込む送風手段と、前記送風手段により送風される風を加熱する加熱手段と、前記送風手段により送風される風を回転ドラム内に導く送風経路とを備え、前記送風経路は、加熱手段を介して回転ドラム内に温風を送り込む第１の送風経路と、加熱手段を介さずに回転ドラム内に風を送り込む第２の送風経路とで構成し、前記第２の送風経路を通して回転ドラム内に送り込まれる風が蓋体に当たるよう構成したものであり、第２の送風経路を通り加熱手段により加熱されない風で蓋体を冷却するとともに、第１の送風経路を通って回転ドラム内に送り込まれた温風および回転ドラム内の熱気を遮断し、蓋体が過熱するのを防ぐことができ、乾燥行程の途中でも蓋体を開閉することができ、安全に衣類の出し入れすることができる。
【００１３】
請求項２に記載の発明は、上記請求項１に記載の発明において、加熱手段を介さずに回転ドラム内に風を送り込む第２の送風経路は、吸い込み側を大気に開放したものであり、第２の送風経路を通って回転ドラム内に送り込まれる風は、常に外気であり、機体内の温風の影響を受けることなく、効率的に蓋体を冷却することができる。
【００１４】
請求項３に記載の発明は、上記請求項１に記載の発明において、加熱手段を介さずに回転ドラム内に風を送り込む第２の送風経路は、内部または送風の吐出部の近傍に冷媒噴霧手段を設けたものであり、回転ドラム内に風を送り込む際に、第２の送風経路の内部または送風の吐出部の近傍に冷媒を噴霧することにより、第１の送風経路を通って回転ドラム内に送り込まれる温風の温度は低下せず、第２の送風経路を通って回転ドラム内に送り込まれる風は冷却効果を有するので、乾燥効率を低下することなく、効率的に蓋体を冷却することができる。
【００１５】
請求項４に記載の発明は、略水平方向または斜め方向に回転中心軸を有する回転ドラムと、前記回転ドラムを内包しかつ回転ドラム内へ衣類の出し入れする開口部を有する水槽と、前記水槽の開口部を開閉する蓋体と、前記回転ドラム内に風を送り込む送風手段と、前記送風手段により送風される風を加熱する加熱手段と、前記送風手段により送風される温風を回転ドラム内に導く送風経路とを備え、前記送風経路の温風の吐出部を、回転ドラム内に送り込まれた温風が蓋体に当たらないよう構成したものであり、送風経路を通って回転ドラム内に送り込まれる温風は蓋体に当たることがなく、蓋体の温度上昇を抑えることができ、乾燥行程の途中でも蓋体を開閉することができ、安全に衣類の出し入れすることができる。
【００１６】
請求項５に記載の発明は、上記請求項４に記載の発明において、送風経路の温風の吐出部の下流側の形状を、回転ドラムの内部側に偏向させ、回転ドラム内に送り込まれた温風が蓋体に当たらないよう構成したものであり、送風経路を通って回転ドラム内に送り込まれる温風は、回転ドラムの内部側に向かって送り込まれて蓋体に温風が当たることがなく、蓋体の温度上昇を抑えることができ、乾燥行程の途中でも蓋体を開閉することができ、安全に衣類の出し入れすることができる。
【００１７】
請求項６に記載の発明は、上記請求項４に記載の発明において、送風経路の温風の吐出部の下流側にルーバーを設け、回転ドラム内に送り込まれた温風が蓋体に当たらないよう構成したものであり、送風経路を通って回転ドラム内に送り込まれる温風は、ルーバーにより蓋体に温風が当たることがなく、蓋体の温度上昇を抑えることができ、乾燥行程の途中でも蓋体を開閉することができ、安全に衣類の出し入れすることができる。
【００１８】
【実施例】
以下、本発明の実施例について、図面を参照しながら説明する。なお、従来例と同じ構成のものは同一符号を付して説明を省略する。
【００１９】
（実施例１）
図１に示すように、送風ファン（送風手段）１４は、回転ドラム４内に風を送り込むもので、この送風ファン１４により送風される風を送風経路１５を通して回転ドラム４内に導いている。
【００２０】
送風経路１５は、ヒータ（加熱手段）１２を介して回転ドラム４内に風を送り込む第１の送風経路１６と、ヒータ１２を介さずに回転ドラム４内に風を送り込む第２の送風経路１７とで構成し、第１の送風経路１６の吐出口は回転ドラム４内に向いている。第２の送風経路１７の吐出口は、蓋体６に向かっており、回転ドラム４内に送り込まれる風が蓋体８に当たるよう構成している。また、第２の送風経路１７の内部に冷媒噴霧手段１８を設けている。
【００２１】
上記構成において動作を説明する。乾燥行程において、送風ファン１４により回転ドラム４内に送風されるが、第１の送風経路１６を通る風は、第１の送風経路１６内にヒータ１２を設けているため加熱されて回転ドラム４内に温風が送り込まれる。また、第２の送風経路１７を通る風は、加熱されずに回転ドラム４内に送風される。
【００２２】
第１の送風経路１６を通って回転ドラム４内に送り込まれた温風は、第１の送風経路１６の吐出口が回転ドラム４内に向いているので衣類を乾燥させるが、その一方で蓋体８をも加熱してしまう。ところが、第２の送風経路１７を通って回転ドラム４内に送り込まれる風は、第２の送風経路１７の吐出口が蓋体８に向いているので蓋体８を冷却するとともに、第１の送風経路１６を通って回転ドラム４内に送り込まれた温風および回転ドラム４内の熱気を遮断し、蓋体８が過熱するのを防ぐことができる。
【００２３】
これにより、乾燥行程の途中でも蓋体８を開閉することができ、安全に衣類の出し入れすることができる。
【００２４】
また、第２の送風経路１７の内部に冷媒噴霧手段１８を設けているので、回転ドラム４内に風を送り込む際に、第２の送風経路１８の内部に冷媒を噴霧することにより、第１の送風経路１６を通って回転ドラム４内に送り込まれる温風の温度は低下せず、第２の送風経路１７を通って回転ドラム４内に送り込まれる風は冷却効果を有するので、乾燥効率を低下することなく、効率的に蓋体８を冷却することができる。
【００２５】
なお、本実施例では、冷媒噴霧手段１８は、第２の送風経路１７の内部に設けているが、第２の送風経路１７の吐出口の近傍に設けてもよく、同様の効果を得ることができる。
【００２６】
（実施例２）
図２に示すように、第２の送風経路１７は、ヒータ１２を介さずに回転ドラム４内に風を送り込むもので、この第２の送風経路１７の吸い込み側１９を大気に開放している。他の構成は上記実施例１と同じであり、同一符号を付して説明を省略する。
【００２７】
上記構成において、第２の送風経路１７の吸い込み側１９を大気に開放しているため、第２の送風経路１７を通って回転ドラム４内に送り込まれる風は、常に外気であり、機体内の温風の影響を受けることなく、効率的に蓋体８を冷却し、蓋体８が加熱されるのを防ぐことができる。
【００２８】
（実施例３）
図３に示すように、送風ファン１４は、回転ドラム４内に温風を送り込むもので、この送風ファン１４により送風される風をヒータ１２により加熱し、送風経路２０を通して回転ドラム４内に導いている。この送風経路２０の温風の吐出部の下流側に、回転ドラム４の内部側に偏向する偏向部２１を設け、回転ドラム４内に送り込まれた温風が蓋体８に当たらないよう構成している。他の構成は上記実施例１と同じであり、同一符号を付して説明を省略する。
【００２９】
上記構成において、送風経路２０を通って回転ドラム４内に送り込まれる温風は、送風通路２０の吐出部の下流側に設けた偏向部２１により、回転ドラム４の内部側に向かって送り込まれる。これにより、蓋体８に温風が当たることがなく、蓋体８の温度上昇を抑えることができ、乾燥行程の途中でも蓋体８を開閉することができ、安全に衣類の出し入れすることができる。
【００３０】
なお、本実施例では、送風通路２０の吐出部の下流側に偏向部２１を設け、送風経路２０を通って回転ドラム４内に送り込まれる温風を回転ドラム４の内部側に向かって送り込むようにしているが、偏向部２１に代えて、ルーバーを設けてもよく、同様の作用効果を得ることができる。
【００３１】
【発明の効果】
以上のように、本発明の請求項１に記載の発明によれば、送風手段により回転ドラム内に送風する送風経路を、加熱手段を介して回転ドラム内に温風を送り込む第１の送風経路と、加熱手段を介さずに回転ドラム内に風を送り込む第２の送風経路とで構成し、第２の送風経路を通して回転ドラム内に送り込まれる風が蓋体に当たるよう構成したことにより、蓋体が加熱手段により加熱されない風で冷却され、乾燥行程の途中でも蓋体を開閉することができ、安全に衣類の出し入れすることができる。
【図面の簡単な説明】
【図１】本発明の第１の実施例のドラム式洗濯機の縦断面図
【図２】本発明の第２の実施例のドラム式洗濯機の一部切欠した縦断面図
【図３】本発明の第３の実施例のドラム式洗濯機の一部切欠した縦断面図
【図４】従来のドラム式洗濯機の縦断面図
【符号の説明】
３　水槽
４　回転ドラム
８　蓋体
１２　ヒータ（加熱手段）
１４　送風ファン（送風手段）
１５　送風経路
１６　第１の送風経路
１７　第２の送風経路
【図１】
2004097387.tif 000003
【図２】
2004097387.tif 000004
【図３】
2004097387.tif 000005
【図４】
2004097387.tif 000006